(57)【要約】【課題】  電気光学パネルをバックライトを保持するフレームに強固に固定すると共に、更なる薄型化が可能な電気光学装置を提供する。【解決手段】  一対の基板６，７の間に液晶層８が挟持されてなる液晶パネル２と、液晶パネル２の背面側に設けられた偏光板９ａと、液晶パネル２の背面側から光を照射するバックライト３と、バックライト３を構成する導光板１１の周縁部を保持するフレーム４とを備え、フレーム４は、液晶パネル２を収納するパネル収納部５を有し、液晶パネル２は、偏光板９ａをバックライト３側に向けた状態で導光板１１と重なるようにパネル収納部５に収納されると共に、この液晶パネル２の側面とパネル収納部５の側面５ｂとの間に注入された接着剤１３によって周縁部がフレーム４に接着固定されている。【選択図】  図３
2007078912.tif 000002
【特許請求の範囲】
【請求項１】
一対の基板の間に電気光学物質が挟持されてなる電気光学パネルと、
前記電気光学パネルの少なくとも視認側とは反対側に設けられた偏光板と、
前記電気光学パネルの視認側とは反対側から光を照射する照明装置と、
前記照明装置を構成する導光板の少なくとも周縁部を保持するフレームとを備え、
前記フレームは、前記電気光学パネルを収納するパネル収納部を有し、
前記電気光学パネルは、前記偏光板を前記照明装置側に向けた状態で前記導光板と重なるように前記パネル収納部に収納されると共に、該電気光学パネルの側面と該パネル収納部の側面との間に注入された接着剤によって周縁部が前記フレームに接着固定されていることを特徴とする電気光学装置。
【請求項２】
前記電気光学パネルは、前記パネル収納部の底面と対向している部分の面積が前記パネル収納部の側面と対向している部分の面積よりも小さいことを特徴とする請求項１に記載の電気光学装置。
【請求項３】
電気光学パネルは、前記パネル収納部の底面に前記偏光板が当接された状態で、前記パネル収納部に収納されていることを特徴とする請求項２に記載の電気光学装置。
【請求項４】
前記偏光板は、前記パネル収納部の底面と当接される面に溝部を有することを特徴とする請求項３に記載の電気光学装置。
【請求項５】
前記電気光学パネルは、前記パネル収納部の底面に前記視認側とは反対側の基板が当接された状態で、前記パネル収納部に収納されており、
前記パネル収納部の底面には、前記偏光板を厚み方向に逃がす段差部が設けられていることを特徴とする請求項２に記載の電気光学装置。
【請求項６】
前記フレームは、前記パネル収納部の底面に溝部を有することを特徴とする請求項１から５の何れか一項に記載の電気光学装置。
【請求項７】
請求項１から６の何れか一項の電気光学装置を備えたことを特徴とする電子機器。
【発明の詳細な説明】
【技術分野】
【０００１】
本発明は、電気光学装置及び電子機器に関するものである。
【背景技術】
【０００２】
近年、携帯電話機や、デジタルスチルカメラ、デジタルビデオカメラといった電子機器の表示部には、液晶表示装置などの電気光学装置が広く用いられている。しかしながら、これらの電子機器では、表示部の大型化や狭額縁化に伴う問題も生じている。
【０００３】
具体的に、携帯電話機では、表示部を拡大したいものの、大型の液晶表示装置を搭載して筐体が大きくなることは望ましくない。このため、携帯電話機に搭載される液晶表示装置では、液晶パネルの表示領域を大きくする一方、この表示領域の外側にある非表示領域を小さく（狭額縁化）することが行われている。
【０００４】
一方、携帯電話機に用いられる液晶表示装置は、バックライトを保持するフレームに液晶パネルを両面テープ（粘着シート）で固定した構造となっている（例えば、特許文献１を参照。）。両面テープは、液晶パネルの非表示領域に貼り付けるため、上述した表示部の大型化や狭額縁化に伴って、この両面テープを貼り付ける面積が小さくなってきている。また、液晶パネル自体も重くなってきている。
【０００５】
このため、両面テープの接着力では液晶パネルをバックライトのフレームに安定して固定させることが困難となってきている。また、この両面テープの厚み分だけ装置全体の厚みが増加するといった問題も生じてしまう。
【特許文献１】特開２００３−５７６４９号公報
【発明の開示】
【発明が解決しようとする課題】
【０００６】
本発明は、このような事情に鑑みてなされたものであり、電気光学パネルを照明装置を保持するフレームに強固に固定すると共に、更なる薄型化を可能とした電気光学装置を提供することを目的とする。
また、本発明は、このような電気光学装置を備えることによって、表示部の更なる大型化や狭額縁化を可能とした電子機器を提供することを目的とする。
【課題を解決するための手段】
【０００７】
この目的を達成するために、本発明に係る電気光学装置は、一対の基板の間に電気光学物質が挟持されてなる電気光学パネルと、電気光学パネルの少なくとも視認側とは反対側に設けられた偏光板と、電気光学パネルの視認側とは反対側から光を照射する照明装置と、照明装置を構成する導光板の少なくとも周縁部を保持するフレームとを備え、フレームは、電気光学パネルを収納するパネル収納部を有し、電気光学パネルは、偏光板を照明装置側に向けた状態で導光板と重なるようにパネル収納部に収納されると共に、該電気光学パネルの側面と該パネル収納部の側面との間に注入された接着剤によって周縁部がフレームに接着固定されていることを特徴とする。
この構成によれば、電気光学パネルの側面とパネル収納部の側面との間に注入された接着剤によって電気光学パネルの周縁部をフレームに強固に固定することができる。また、電気光学パネルをフレームに両面テープ（粘着シート）で固定する構造に比べて、電気光学パネルの非表示領域の面積によらずに、この電気光学パネルをフレームに充分な接着力で固定することができ、装置全体の厚みも薄くすることができる。
【０００８】
また、電気光学パネルは、パネル収納部の底面と対向している部分の面積がパネル収納部の側面と対向している部分の面積よりも小さいことが好ましい。
この構成によれば、電気光学パネルの表示領域を拡大し、電気光学パネルの非表示領域の面積が縮小した場合であっても、電気光学パネルの側面とパネル収納部の側面との間に注入された接着剤によって電気光学パネルの周縁部をフレームに強固に固定することができる。
【０００９】
また、本発明に係る電気光学装置では、パネル収納部の底面に偏光板が当接された状態で、電気光学パネルをパネル収納部に収納することができる。
この場合、偏光板は、パネル収納部の底面と当接される面に溝部を有することが好ましい。この構成によれば、偏光板とパネル収納部の底面との間から接着剤が電気光学パネルの表示領域側（内側）へと流れ込むのを防ぐことができる。
【００１０】
一方、本発明に係る電気光学装置は、パネル収納部の底面に視認側とは反対側の基板が当接された状態で、電気光学パネルをパネル収納部に収納することもできる。
この場合、パネル収納部の底面に偏光板を厚み方向に逃がす段差部を設けた構成とすれば、この偏光板の厚みによらずに、装置全体の厚みを薄くすることができる。
【００１１】
また、本発明に係る電気光学装置では、パネル収納部の底面に溝部を設けた構成とすることもできる。
この場合、電気光学パネルとパネル収納部の底面との間から接着剤が電気光学パネルの表示領域側（内側）へと流れ込むのを防ぐことができる。
【００１２】
本発明に係る電子機器は、上述した本発明に係る電気光学装置を備えたことを特徴とする。
この構成によれば、表示部の更なる大型化や狭額縁化が可能である。
【発明を実施するための最良の形態】
【００１３】
以下、本発明の実施の形態について、本発明を電気光学装置の一例である透過型の液晶表示装置に適用した場合を例に挙げて説明する。なお、以降の説明では図面を用いて各種の構造を例示するが、これらの図面に示される構造は特徴的な部分を分かり易く示すために実際の構造に対して寸法を異ならせて示す場合がある。
【００１４】
図１は、本発明を適用した液晶表示装置１の構成を示す分解斜視図であり、図２は、バックライト３を保持したフレーム４を示す平面図であり、図３は、液晶表示装置１の要部を拡大して示す断面図である。
【００１５】
本発明を適用した液晶表示装置１は、図１、図２及び図３に示すように、電気光学パネルである液晶パネル２と、この液晶パネルの背面側から光を照射する照明装置であるバックライト３と、このバックライトを保持するフレーム４とを備え、フレーム４に設けられたパネル収容部５に液晶表示パネル２が収納されて、これらが一体化された構造を有している。
【００１６】
液晶パネル２は、互いに対向する背面（バックライト）側の素子基板６と前面（視認）側の対向基板７とを有し、これら一対の基板６，７の間に液晶層（電気光学物質）８が挟持されてなる構造を有している。具体的に、一対の基板６，７は、略矩形状の透明基板からなり、その周囲が環状のシール材（図示せず。）によって貼り合わされている。また、一対の基板６，７の間には、セルギャップと呼ばれる隙間が設けられ、このセルギャップ内に、例えばＴＮ（Twisted Nematic）液晶などの電気光学材料が封入されることによって、液晶層８が形成されている。
【００１７】
一対の基板６，７の間には、図示を省略するが、表示領域内の画素毎に画素電極と、この画素電極に接続されたスイッチング素子とが設けられている。スイッチング素子は、ＴＦＴ（薄膜トランジスタ）や、ＴＦＤ（薄膜ダイオード）などのアクティブ素子からなる。これらのアクティブ素子は、基板６，７の周辺部に一体に設けられたドライバ回路又は基板６，７と接続された外部基板のドライバ回路によって、その駆動が制御される。また、液晶パネル２は、このような画素電極毎にアクティブ素子を設けて駆動を行うアクティブ駆動方式に限らず、一対の基板６，７の間に互いに交差するストライプ電極を設けて、これらストライブ電極の間で液晶層８に電圧を印加するパッシブ駆動方式を採用してもよい。
【００１８】
この液晶パネル２の背面側及び前面側には、一対の偏光板９ａ，９ｂが設けられている。これら一対の偏光板９ａ，９ｂは、ノーマリーブラックモードやノーマリーホワイトモードなどの表示モードに応じて、互いの透過軸が直交又は平行に配置されている。また、偏光板９ａ，９ｂは、少なくとも液晶パネル２の表示領域を被覆するように、それぞれ基板６，７の外面に貼り付けられている。
【００１９】
バックライト３は、照明光を出射する光源１０と、この光源１０から出射された照明光を液晶パネル２側へと導く導光板１１とを備えている。光源１０は、例えば発光ダイオード（ＬＥＤ:Light Emitting Diode）からなり、導光板１１の一端面に沿って複数配置されている。また、光源１０には、ＬＥＤ以外にも、例えば冷陰極管や有機エレクトロルミネッセンス素子などを用いることができる。導光板１１は、アクリル樹脂などの光透過性の板材からなり、光源１０から出射された照明光を面発光させながら液晶パネル２の背面側に照射する。
【００２０】
フレーム４は、例えば全体が略矩形枠状に形成された樹脂等の部材からなる。パネル収納部５は、このフレーム４の内側に形成された凹部であり、液晶パネル２の外形に対応した内形形状を有している。また、パネル収納部５の底面５ａには、略矩形状の開口部１２が形成されている。フレーム４は、この開口部１２の内側に導光板１１を嵌め込むことによって、バックライト３を保持する。具体的に、導光板１１を開口部１２に嵌め込む際には、導光板１１の長手方向の両側面から突出された一対の係止片１１ａ，１１ａ及び一対の係止片１１ｂ，１１ｂを、それぞれ開口部１２の周囲に設けられた係止凹部１２ａ，１２ｂに係止させる。
【００２１】
パネル収納部５の底面５ａにおける開口部１２の周囲は、このパネル収納部５に収納された液晶パネル２の素子基板６が当接される面であり、液晶パネル２の非表示領域を厚み方向に支持することになる。液晶パネル２は、背面側の偏光板９ａをバックライト３側に向けた状態で導光板１１と厚み方向に重なるようにパネル収納部５に収納されると共に、この気光学パネル２の側面とパネル収納部５の側面５ｂとの間に注入された接着剤１３によって周縁部がフレーム４に接着固定されている。
【００２２】
以上のような構造を有する液晶表示装置１では、液晶パネル２をフレーム４に両面テープ（粘着シート）で固定する構造に比べて、液晶パネル２の非表示領域に接着される両面テープの接着面積によらずに、この液晶パネル２をフレーム４に充分な接着力で固定することができる。
また、液晶パネル２の素子基板６とパネル収納部５の底面５ａとの間に介在される両面テープが不要となるため、装置全体の厚みを薄くすることができる。
さらに、液晶パネル２とフレーム４との間の隙間を接着剤１３で埋めることで、組立後に生じた衝撃落下などの機械的ストレスによる液晶パネル２の位置ずれを防止することができる。
【００２３】
したがって、本発明を適用した液晶表示装置１では、液晶パネル２の側面とパネル収納部５の側面５ｂとの間の隙間に注入された接着剤１３によって、液晶パネル２をフレーム４に強固に固定すると共に、装置全体の更なる薄型化が可能である。
【００２４】
一方、本発明を適用した液晶表示装置１では、例えば図４に示すように、パネル収納部５の底面５ａに溝部１４を設けた構成とすることもできる。この溝部１４は、液晶パネル２の素子基板６が当接される面において開口部１２の周囲を囲むように形成されている。
したがって、液晶表示装置１では、このような溝部１４をパネル収納部５の底面５ａに設けることによって、液晶パネル２とパネル収納部５の底面５ａとの間から接着剤１３が液晶パネル２の表示領域側（内側）へと流れ込むのを防ぐことが可能である。
【００２５】
一方、本発明を適用した液晶表示装置１は、例えば図５に示すように、パネル収納部５の底面５ａに背面側の偏光板９ａを厚み方向に逃がす段差部１５を設けた構成とすることもできる。この段差部１５は、パネル収納部５の底面５ａにおける開口部１２の周囲を、素子基板６に貼り付けられた偏光板９ａの外形に合わせて、素子基板６が当接される面よりも該偏光板９の厚み分だけ低くした部分である。
この場合、段差部１５が偏光板９ａを厚み方向に逃がすことによって、パネル収納部５の底面５ａに素子基板６が当接された状態で、液晶パネル２をパネル収納部５に収納されることになる。
したがって、液晶表示装置１では、このような段差部１５が偏光板９ａを厚み方向に逃がすことによって、この偏光板９ａの厚みによらずに、装置全体の厚みを薄くすることが可能である。
【００２６】
ところで、このような液晶表示装置１が搭載される電子機器においては、表示部の更なる大型化や狭額縁化が行われている。これに伴って、液晶表示装置１では、液晶パネル２の表示領域を拡大する一方、この表示領域の周囲を囲む非表示領域を狭額縁化することが行われている。
この場合、液晶表示装置１では、液晶パネル２の表示領域を被覆する偏光板９ａも拡大するため、例えば図６に示すように、パネル収納部５の底面５ａに偏光板９ａが当接された状態で、液晶パネル２がパネル収納部５に収納されることになる。
この場合も、液晶パネル２の側面とパネル収納部５の側面５ｂとの間に注入された接着剤１３によって、偏光板９ａとパネル収納部５の底面５ａとの間に両面テープを介在させることなく、液晶パネル２をフレーム４に充分な接着力で固定することができる。また、装置全体の厚みも薄くすることができる。
【００２７】
さらに、液晶パネル２は、パネル収納部５の底面５ａと対向している部分の面積がパネル収納部５の側面５ｂと対向している部分の面積よりも小さいことが好ましい。
この場合、液晶パネル２の表示領域を拡大し、この液晶パネル２の非表示領域の面積が縮小した場合であっても、液晶パネル２の側面とパネル収納部５の側面５ｂとの間に注入された接着剤１３によって液晶パネル２の周縁部をフレーム４に強固に固定することができる。
【００２８】
また、本発明を適用した液晶表示装置１では、図７に示すように、パネル収納部５の底面５ａと当接される面に溝部１６を設けた構成とすることができる。この溝部１６は、偏光板９ａのパネル収納部５の底面部ａと当接される面において、表示領域の外側を囲むように形成されている。
したがって、液晶表示装置１では、このような溝部１４を偏光板９ａに設けることによって、偏光板９ａとパネル収納部５の底面５ａとの間から接着剤１３が液晶パネル２の表示領域側（内側）へと流れ込むのを防ぐことが可能である。
【００２９】
（電子機器）
次に、本発明を適用した電子機器の一具体例として、図８に示す携帯電話機１０００について説明する。
図８は、携帯電話機１０００の外観を示す斜視図である。この携帯電話機１０００の表示部１００１には、上述した液晶表示装置１が採用されている。したがって、この携帯電話機１０００では、表示部１０００の更なる大型化や狭額縁化に対応することが可能である。
【００３０】
なお、本発明の液晶表示装置（電気光学装置）は、上記携帯電話機に限らず、例えば、電子ブックや、パーソナルコンピュータ、ディジタルスチルカメラ、液晶テレビ、ビューファインダ型あるいはモニタ直視型のビデオテープレコーダ、カーナビゲーション装置、ページャ、電子手帳、電卓、ワードプロセッサ、ワークステーション、テレビ電話、ＰＯＳ端末、タッチパネルなどの電子機器の表示部（画像表示手段）として好適に用いることができ、何れにおいても表示部の更なる大型化や狭額縁化を可能とし、信頼性が高く表示品質に優れた電子機器を提供することができる。
【００３１】
以上、図面を参照しながら本発明の実施の形態について説明したが、本発明はこれらの例に限定されないことは言うまでもない。すなわち、上述した例において示した各構成部材の諸形状や組み合わせ等は一例であって、本発明の主旨から逸脱しない範囲において設計要求等に基づき種々の変更が可能である。
なお、本発明において、電気光学物質、電気光学パネル、電気光学装置とは、電界により物質の屈折率が変化して光の透過率を変化させる電気光学効果を有するものの他、電気エネルギーを光学エネルギーに変換するもの等も含んで総称している。
【図面の簡単な説明】
【００３２】
【図１】本発明を適用した液晶表示装置の構成を示す分解斜視図である。
【図２】バックライトを保持したフレームを示す（ａ）平面図、（ｂ）Ａ−Ａ’断面図、（ｃ）Ｂ−Ｂ’断面図である。
【図３】液晶表示装置の要部を拡大して示す断面図である。
【図４】液晶表示装置の変形例を示す断面図である。
【図５】液晶表示装置の変形例を示す断面図である。
【図６】液晶表示装置の変形例を示す断面図である。
【図７】液晶表示装置の変形例を示す断面図である。
【図８】電子機器の一例である携帯電話機を示す斜視図である。
【符号の説明】
【００３３】
１…液晶表示装置（電気光学装置）、２…液晶表示パネル（電気光学パネル）、３…バックライト、４…フレーム、５…パネル収容部、５ａ…底面、５ｂ…側面、６…素子基板、７…対向基板、８…液晶層、９ａ，９ｂ…偏光板、１３…接着剤、１４…溝部、１５…段差部、１６…溝部、１０００…携帯電話機（電子機器）、１００１…表示部
【図１】
2007078912.tif 000003
【図２】
2007078912.tif 000004
【図３】
2007078912.tif 000005
【図４】
2007078912.tif 000006
【図５】
2007078912.tif 000007
【図６】
2007078912.tif 000008
【図７】
2007078912.tif 000009
【図８】
2007078912.tif 000010